(57)【特許請求の範囲】
【請求項１】
情報読取装置と、移動体通信ネットワークを介して通信可能な通信端末装置との間で、該移動体通信ネットワークを介した通信とは異なる非接触通信を行うことにより、該情報読取装置が該通信端末装置に保存されている情報を読み取り、該通信端末装置について認証を行う認証方法であって、
上記情報読取装置が、上記非接触通信によって、第１の利用者が有する第１の通信端末装置に保存されている情報を読み取るステップと、
上記情報読取装置が、上記非接触通信によって、第２の利用者が有する第２の通信端末装置に保存されている情報を読み取るステップと、
上記情報読取装置が、各通信端末装置の利用者の権限管理を行うサーバによって第１の通信端末装置及び第２の通信端末装置それぞれから上記移動体通信ネットワークを介して受信された第１の通信端末装置及び第２の通信端末装置の認証処理に用いる情報を該サーバから取得するステップと、
上記情報読取装置が、上記非接触通信によって第１の通信端末装置及び第２の通信端末装置それぞれから読み取った第１の通信端末装置及び第２の通信端末装置に保存されている情報と、上記サーバによって第１の通信端末装置及び第２の通信端末装置それぞれから上記移動体通信ネットワークを介して受信され該サーバから取得した第１の通信端末装置及び第２の通信端末装置の認証処理に用いる情報とに基づいて、第１の通信端末装置及び第２の通信端末装置それぞれについて認証処理を行うステップと、
上記情報読取装置が、第１の通信端末装置及び第２の通信端末装置それぞれが予め登録されている通信端末装置であって第１の通信端末装置及び第２の通信端末装置それぞれの認証が成功した場合に、第１の通信端末装置及び第２の通信端末装置の組み合わせにおける予め決められた所定の認証後動作を実行するステップと、
を含み、
上記第１の通信端末装置に保存されている情報を読み取るステップの後、予め設定した所定時間が経過する前に、上記第２の通信端末装置に保存されている情報を読み取るステップが行われた場合に、上記第１の通信端末装置及び上記第２の通信端末装置それぞれについての認証を行うことを特徴とする認証方法。
【請求項２】
請求項１の認証方法において、
上記所定の認証後動作を実行するステップは、第１の通信端末装置の利用者が第１の通信端末装置を操作して第１の通信端末装置の利用者と第２の通信端末装置の利用者のそれぞれに対する課金の会計を第１の通信端末装置の利用者が支払うことを意味する識別子が第１の通信端末装置に設定されていた場合に、上記情報読取装置が、第１の通信端末装置及び第２の通信端末装置それぞれの認証に成功し、且つ、第１の通信端末装置に上記識別子が設定されていた場合に、第１の通信端末装置の利用者に第１の通信端末装置の利用者及び第２の通信端末装置の利用者のそれぞれの会計を課金することを特徴とする認証方法。
【請求項３】
移動体通信ネットワークを介して通信可能な通信端末装置との間で、該移動体通信ネットワークを介した通信とは異なる非接触通信を行うことにより、該通信端末装置に保存されている情報を読み取って該通信端末装置について認証を行う情報読取装置であって、
第１の利用者が有する第１の通信端末装置及び第２の利用者が有する第２の通信端末装置との間で上記非接触通信を行う通信手段と、
第１の通信端末装置に保存されている情報と第２の通信端末装置に保存されている情報とを、上記非接触通信によって読み取る手段と、
各通信端末装置の利用者の権限管理を行うサーバによって第１の通信端末装置及び第２の通信端末装置それぞれから移動体通信ネットワークを介して受信された第１の通信端末装置及び第２の通信端末装置の認証処理に用いる情報を、該サーバから取得する手段と、
上記非接触通信によって第１の通信端末装置及び第２の通信端末装置それぞれから読み取った第１の通信端末装置及び第２の通信端末装置それぞれに保存されている情報と、上記サーバによって第１の通信端末装置及び第２の通信端末装置それぞれから上記移動体通信ネットワークを介して受信され該サーバから取得した第１の通信端末装置及び第２の通信端末装置の認証処理に用いる情報とに基づいて、第１の通信端末装置及び第２の通信端末装置それぞれについて認証処理を行う手段と、
第１の通信端末装置及び第２の通信端末装置それぞれが予め登録されている通信端末装置であって、第１の通信端末装置及び第２の通信端末装置それぞれの認証に成功した場合に、第１の通信端末装置及び第２の通信端末装置の組み合わせにおける予め決められた所定の認証後動作を実行する手段と、を備え、
上記第１の通信端末装置に保存されている情報を読み取りの後、予め設定した所定時間が経過する前に、上記第２の通信端末装置に保存されている情報を読み取りが行われた場合に、上記第１の通信端末装置及び上記第２の通信端末装置それぞれについての認証を行うことを特徴とする情報読取装置。
【請求項４】
請求項３の情報読取装置において、
上記所定の認証後動作を実行する手段は、第１の通信端末装置及び第２の通信端末装置それぞれの認証に成功し、且つ、第１の通信端末装置の利用者が第１の通信端末装置を操作して第１の通信端末装置の利用者と第２の通信端末装置の利用者のそれぞれに対する課金の会計を第１の通信端末装置の利用者が支払うことを意味する識別子が第１の通信端末装置に設定されていた場合に、第１の通信端末装置の利用者に第１の通信端末装置の利用者及び第２の通信端末装置の利用者のそれぞれの会計を課金することを特徴とする情報読取装置。
【発明の詳細な説明】
【技術分野】
【０００１】
本発明は、携帯電話機等の通信端末装置との間で近距離無線通信を行うことにより通信端末装置について認証を行う認証方法及びその認証方法に用いる情報読取装置に関するものである。
【背景技術】
【０００２】
従来、この種の認証方法として、情報読取装置が、携帯電話機（通信端末装置）との間で近距離無線通信を行うことにより携帯電話機に保存されている認証用情報を読み取り、その読み取った認証用情報に基づいて、各種商品やサービスの代金の決済等が可能な利用者の携帯電話機であるか否かの認証を行う方法が知られている。
【発明の概要】
【発明が解決しようとする課題】
【０００３】
しかしながら、上記従来の認証方法では、携帯電話機から読み取った認証用情報がその携帯電話機についての認証のみに用いられるという制約があった。
【０００４】
本発明の目的は、情報読取装置と通信端末装置との非接触通信を用いた新規な認証処理が可能になる認証方法及び情報読取装置を提供することである。
【課題を解決するための手段】
【０００５】
上記目的を達成するために、請求項１の発明は、情報読取装置と、移動体通信ネットワークを介した通信可能な通信端末装置との間で、該移動体通信ネットワークを介した通信とは異なる非接触通信を行うことにより、該情報読取装置が該通信端末装置に保存されている情報を読み取り、該通信端末装置について認証を行う認証方法であって、上記情報読取装置が、上記非接触通信によって、第１の利用者が有する第１の通信端末装置に保存されている情報を読み取るステップと、上記情報読取装置が、上記非接触通信によって、第１の利用者が有する第２ の通信端末装置に保存されている情報を読み取るステップと、上記情報読取装置が、各通信端末装置の利用者の権限管理を行うサーバによって第１の通信端末装置及び第２の通信端末装置それぞれから上記移動体通信ネットワークを介して受信された第１の通信端末装置及び第２の通信端末装置の認証処理に用いる情報を、該サーバから取得するステップと、上記情報読取装置が、上記非接触通信によって第１の通信端末装置及び第２の通信端末装置それぞれから読み取った第１の通信端末装置及び第２の通信端末装置それぞれに保存されている情報と、上記サーバによって第１の通信端末装置及び第２の通信端末装置それぞれから上記移動体通信ネットワークを介して受信され該サーバから取得した第１の通信端末装置及び第２の通信端末装置の認証処理に用いる情報とに基づいて第１の通信端末装置及び第２の通信端末装置それぞれについて認証処理を行うステップと、上記情報読取装置が、第１の通信端末装置及び第２の通信端末装置それぞれが予め登録されている通信端末装置であって第１の通信端末装置及び第２の通信端末装置それぞれの各認証が成功した場合に、第１の通信端末装置及び第２の通信端末装置の組合せについて予め決められた所定の認証後動作を実行するステップと、を含み、上記第１の通信端末装置に保存されている情報を読み取るステップの後、予め設定した所定時間が経過する前に、上記第２の通信端末装置に保存されている情報を読み取るステップが行われた場合、上記第１の通信端末装置と上記第２の通信端末装置についての認証を行うことを特徴とするものである。
また、請求項２の発明は、請求項１の認証方法において、上記所定の認証後動作を実行するステップは、第１の通信端末装置の利用者が第１の通信端末装置を操作して第１の通信端末装置の利用者と第２の通信端末の利用者のそれぞれに対する課金の会計を第１の通信端末装置の利用者が支払うことを意味する識別子が第１の通信端末装置に設定されていた場合に、上記情報読取装置が、第１の通信端末装置及び第２の通信端末装置それぞれの認証に成功し、且つ、第１の通信端末装置に上記識別子が設定されていた場合に、第１の通信端末装置の利用者に第１の通信端末装置の利用者及び第２の通信端末装置の利用者のそれぞれの会計を課金することを特徴とするものである。
【０００６】
請求項３の発明は、移動体通信ネットワークを介して通信可能な通信端末装置との間で、該移動体通信ネットワークを介した通信とは異なる非接触通信を行うことにより、該通信端末装置に保存されている情報を読み取って該通信端末装置について認証を行う情報読取装置であって、第１の利用者が有する第１の通信端末装置及び第２の利用者が有する第２の通信端末装置との間で上記非接触通信を行う通信手段と、上記第１の通信端末装置に保存されている情報と上記第２の通信端末装置に保存されている情報とを、上記非接触通信によって読み取る手段と、各通信端末装置の利用者の権限管理を行うサーバによって第１の通信端末装置及び第２の通信端末装置それぞれから移動体通信ネットワークを介して受信された第１の通信端末装置及び第２の通信端末装置の認証処理に用いる情報を、該サーバから取得する手段と、上記非接触通信によって第１の通信端末装置及び第２の通信端末装置それぞれから読み取った第１の通信端末装置及び第２の通信端末装置それぞれに保存されている情報と、上記サーバによって第１の通信端末装置及び第２の通信端末装置それぞれから上記移動体通信ネットワークを介して受信され該サーバから取得した第１の通信端末装置及び第２の通信端末装置の認証処理に用いる情報とに基づいて、第１の通信端末装置及び第２の通信端末装置それぞれについて認証処理を行う手段と、第１の通信端末装置及び第２の通信端末装置それぞれが予め登録されている通信端末装置であって第１の通信端末装置及び第２の通信端末装置それぞれの認証に成功した場合に、第１の通信端末装置及び第２の通信端末装置の組合せにおける予め決められた所定の認証後動作を実行する手段と、を備え、上記第１の通信端末装置に保存されている情報を読み取りの後、予め設定した所定時間が経過する前に、上記第２の通信端末装置に保存されている情報を読み取りが行われた場合、上記第１の通信端末装置と上記第２の通信端末装置についての認証を行うことを特徴とするものである。
また、請求項４の発明は、請求項３の情報読取装置において、上記所定の認証後動作を実行する手段は、第１の通信端末装置及び第２の通信端末装置それぞれの認証に成功し、且つ、第１の通信端末装置の利用者が第１の通信端末装置を操作して第１の通信端末装置の利用者と第２の通信端末装置の利用者のそれぞれに対する課金の会計を第１の通信端末装置の利用者が支払うことを意味する識別子が第１の通信端末装置に設定されていた場合に、第１の通信端末装置の利用者に第１の通信端末装置の利用者及び第２の通信端末装置の利用者のそれぞれの会計を課金することを特徴とする。
【０００７】
請求項１及び３の発明では、情報読取装置が移動体通信ネットワークを介した通信とは異なる非接触通信によって第１の通信端末装置及び第２の通信端末装置それぞれに保存されている情報から読み取った情報と、サーバによって第１の通信端末装置及び第２の通信端末装置それぞれから移動体通信ネットワークを介して受信され情報読取装置がサーバから取得した第１の通信端末装置及び第２の通信端末装置の認証処理に用いる情報とに基づいて、第１の通信端末装置及び第２の通信端末装置について認証が成功した場合にのみ、予め決められた所定の認証後動作を実行するものであって、上記第１の通信端末装置に保存されている情報を読み取りの後、予め設定した所定時間が経過する前に、上記第２の通信端末装置に保存されている情報を読み取りが行われた場合、上記第１の通信端末装置と上記第２の通信端末装置についての認証を行う。
請求項２及び４の発明では、上記所定の認証後動作の実行は、第１の通信端末装置の利用者が第１の通信端末装置を操作して第１の通信端末装置の利用者と第２の通信端末装置の利用者のそれぞれに対する課金の会計を第１の通信端末装置の利用者が支払うことを意味する識別子が第１の通信端末装置に設定され、上記読取装置が、第１の通信端末装置及び第２の通信端末装置それぞれの認証に成功し、且つ、第１の通信端末装置に上記識別子が設定されていた場合に、第１の通信端末装置の利用者に第１の通信端末装置の利用者及び第２の通信端末装置の利用者のそれぞれの会計を課金するものである。
【０００８】
なお、上記第２の通信端末装置が複数の通信端末装置で構成され、上記第１の通信端末装置と複数の第２の通信端末装置について上記情報の読み取り及び認証処理を実行するようにしてもよい。この場合は、３以上の通信端末装置の組み合わせ又はそれらの通信端末装置の利用者の組合わせについて認証処理を実行することができる。
【発明の効果】
【０００９】
本発明によれば、情報読取装置が非接触通信によって第１の通信端末装置及び第２の通信端末装置それぞれから読み取った情報に基づいて、第１の通信端末装置及び第２の通信端末装置について認証が成功した場合にのみ、第１の通信端末装置の利用者及び第２の通信端末装置の利用者のそれぞれの会計を、いずれか一方の通信端末装置の利用者に課金するという新規な課金処理が可能になるという効果がある。
【図面の簡単な説明】
【００１０】
【図１】本発明の実施形態に係る携帯電話機を用いることができる認証システムの概略構成図。
【図２】Ｒ／Ｗ装置の基本的な構成の一例を示すブロック図。
【図３】携帯電話機のハードウェア構成の一例を示すブロック図。
【図４】Ｒ／Ｗ装置において２台の携帯電話機との非接触通信によってペア認証処理を行うときのフローチャート。
【図５】ペア認証に成功した複数の利用者の一方に課金処理する処理の一例を示すフローチャート。
【発明を実施するための形態】
【００１１】
以下、本発明を、店舗等に設置された情報読取装置と通信端末装置としての携帯電話機との間の非接触通信を用いた認証方法に適用した実施形態について説明する。
図１は本実施形態に係る携帯電話機を用いた認証システムの概略構成図である。本実施形態の認証システムは、通信ネットワーク上に設けられた管理サーバ２０や、各種飲食店、店舗、イベント会場等に設置された情報読取装置としてのリーダ／ライタ装置（以下、「Ｒ／Ｗ装置」という。）３０等で構成されている。
【００１２】
上記管理サーバ２０は、例えばＷＥＢサーバで構成され、移動体通信ネットワークとしての携帯電話網４０を介して携帯電話機１０（１０Ａ、１０Ｂ）との間で通信可能に構成されている。この管理サーバ２０と携帯電話機１０との間の通信プロトコルとしては、例えばＨＴＴＰ（HyperText Transfer Protocol ）が用いられる。管理サーバ２０は、イベント会場への入場を管理するサービスや、現金を持たずに各種商品やサービスの代金を支払うことができる電子財布サービス等について、利用者の権限管理を実行する。また、管理サーバ２０には、上記権限管理に必要な暗号処理やその暗号処理に用いる認証キー（暗号鍵）の管理を行う専用モジュールが設けられている。
【００１３】
上記Ｒ／Ｗ装置３０は、各種飲食店、店舗、イベント会場等に設置された通信端末装置である。このＲ／Ｗ装置３０としては、イベント会場の入場ゲート装置、飲食店や店舗などのレジ装置のほか、駅の改札ゲート装置、バスなどの中にある運賃収受機や乗車口カード読み取り装置、駅やイベント会場等の発券装置、金融機関等の自動現金支払装置、、高速道路のＥＴＣの基地局などがある。Ｒ／Ｗ装置３０は、携帯電話機１０との間で所定の通信方式で非接触の無線通信を行うことができる。この通信方式としては各種の方式を採用することできる。例えば、ブルートゥース等の電波を用いた近距離無線通信方式や、赤外線を用いた通信方式等を採用することができる。データの転送方式としては、例えばシリアルデータ転送方式を採用することができる。また、Ｒ／Ｗ装置３０は、固定通信回線のネットワーク５０を介して管理サーバ２０と通信可能なパーソナルコンピュータ（ＰＣ）３５が接続されている。管理サーバ２０とパーソナルコンピュータ３５との間の通信プロトコルとしては、例えばＨＴＴＰが用いられる。このパーソナルコンピュータ３５を介して、Ｒ／Ｗ装置３０は、電子財布サービスに用いる各種データを管理サーバ２０との間でやり取りすることができる。
【００１４】
図２はＲ／Ｗ装置３０の基本的な構成を示すブロック図である。Ｒ／Ｗ装置３０は、非接触通信モジュール３１と、液晶ディスプレイ等からなる表示部３２と、パーソナルコンピュータ３５と通信するためのインターフェース部３３と、これらを制御する主制御部３４とを備えている。非接触通信モジュール３１は、専用ＩＣチップやＩＣカードで構成され、携帯電話機１０との間で所定通信プロトコルによる非接触通信を行うためのアンテナや無線通信回路を有している。主制御部３４には、携帯電話機１０に保存されている認証用データ等の情報の読み取り、各携帯電話機１０についての認証処理、認証に成功したときの所定の認証後動作などを実行するためのプログラムが組み込まれている。上記認証後動作としては、予め決められた複数の携帯電話機について認証が成功した場合にその旨を表示部３２に表示する認証結果表示動作、利用者が購入した商品や提供を受けたサービスについて決済を行う決済処理動作等が挙げられる。
【００１５】
図３は、携帯電話機１０のハードウェア構成の一例を示すブロック図である。この携帯電話機１０は、主制御部１１０と無線通信部１１１とベースバンド処理部１１２と音入出力部１１３と表示部１１４と操作部１１５とを備える。
主制御部１１０は、ＭＰＵ（Micro Processing Unit）、ＲＡＭ、ＲＯＭ等を備え、所定の基本ＯＳやミドルウェア等のプログラムが実行されることにより、ベースバンド処理部１１２等の各部を制御したり、ソフトウェア構成上のネイティブプラットフォーム環境やアプリケーション実行環境を構築したりする。
無線通信部１１１は、例えばシンセサイザ、周波数変換器，高周波増幅器などにより構成され、携帯電話通信網４０の基地局４１との間で無線通信するための高周波信号処理を実行する。
ベースバンド処理部１１２は、外部の移動体通信端末やサーバとの間で電話やデータ送受信の通信を行うためのデジタル処理を実行する。このベースバンド処理部１１２と上記無線通信部１１１との間はＤ／Ａ変換器やＡ／Ｄ変換器を介して接続されている。
音入出力部１１３は、マイク、スピーカ、音信号処理部等で構成されている。マイクから出力されるアナログの音声信号は、音信号処理部でデジタル信号に変換され、主制御部１１０やベースバンド処理部１１２等に送られる。スピーカは、音信号処理部でデジタル信号から変換されたアナログ信号が入力され、通話中の音声を出力したり、メールの着信音、電話の呼び出し音、音楽などを出力したりする。なお、スピーカは、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
表示部１１４は、ＬＣＤ（液晶ディスプレイ）等で構成され、主制御部１１０からの指令に基づいて各種画像を表示する。
操作部１１５は、データ入力キー（テンキー、＊キー、＃キー）、通話開始キー、終話キー、スクロールキー、多機能キー等の複数のキーで構成されている。この操作部１１５は、利用者が通話開始、終話、メニュー選択、画面切り換え等を指示したり情報を入力したりするときに用いられる。
【００１６】
また、携帯電話機１０は、図示しない時計部を備えている。時計部はクロック回路等で構成され、制御のためのタイマーとして用いたり、正確な日時を計数して更新処理等のための時刻情報を生成したりする。
【００１７】
また、携帯電話機１０は、専用ＩＣチップやＩＣカードで構成された非接触通信モジュール１１６を備えている。この非接触通信モジュール１１６は、前述のＲ／Ｗ装置３０との間で、所定通信プロトコルによる非接触通信を行うためのアンテナや無線通信回路を有している。
【００１８】
図４は、Ｒ／Ｗ装置３０において、２台の携帯電話機１０Ａ，１０Ｂとの非接触通信によって各携帯電話機についてペア認証処理を行うときのフローチャートである。
まず、利用者Ａが自分の携帯電話機１０Ａを持ってＲ／Ｗ装置３０にかざす。すると、Ｒ／Ｗ装置３０と携帯電話機１０Ａとの間で非接触通信回線が確立し、Ｒ／Ｗ装置３０が携帯電話機１０Ａに保存されている認証用情報を読み取る（Ｓ１０１，Ｓ１０２）。Ｒ／Ｗ装置３０は、携帯電話機１０Ａから読み取った認証用情報に基づいて管理サーバ２０と通信して認証処理を実行する。このとき、携帯電話通信網４０を介して携帯電話機１０Ａと管理サーバ２０との間で通信を行い、携帯電話機１０Ａから管理サーバ２０へ送信した情報を、上記認証処理に用いるようにしてもよい。
【００１９】
上記認証処理の結果、携帯電話機１０Ａが予め登録されている携帯電話機であり、携帯電話機１０Ａ（利用者Ａ）について認証に成功した場合（Ｓ１０３でＹｅｓ）は、次の携帯電話機との非接触通信のためのタイマーを開始する（Ｓ１０４）。認証に成功しなかった場合（Ｓ１０３でＮｏ）は、エラー表示を行って終了する（Ｓ１０９）。また、所定時間経過するまでに、ペアとなる次の携帯電話機１０ＢとＲ／Ｗ装置３０との間の非接触通信がなかった場合（Ｓ１１０でＹｅｓ）も、エラー表示を行って終了する（Ｓ１１１）。
【００２０】
上記タイマーの開始後、所定時間内に、利用者Ａとペアとなる利用者Ｂが自分の携帯電話機１０Ｂを持ってＲ／Ｗ装置３０にかざす。すると、Ｒ／Ｗ装置３０と携帯電話機１０Ｂとの間で非接触通信回線が確立し、Ｒ／Ｗ装置３０が携帯電話機１０Ｂに保存されている認証用情報を読み取る（Ｓ１０５，Ｓ１０６）。Ｒ／Ｗ装置３０は、携帯電話機１０Ｂから読み取った認証用情報に基づいて管理サーバ２０と通信して認証処理を実行する。このときも、携帯電話通信網４０を介して携帯電話機１０Ｂと管理サーバ２０との間で通信を行い、携帯電話機１０Ｂから管理サーバ２０へ送信した情報を、上記認証処理に用いるようにしてもよい。
【００２１】
上記認証処理の結果、携帯電話機１０Ｂが予め登録されている携帯電話機であり、携帯電話機１０Ｂ（利用者Ｂ）について認証に成功した場合（Ｓ１０７でＹｅｓ）は、２台の携帯電話機１０Ａ、１０Ｂについてペア認証が成功した旨の表示を行う（Ｓ１０８）。この表示があった場合は、ペア認証に成功した利用者Ａ，Ｂに景品や無料チケットなどの特典を付与される。
【００２２】
以上、本実施形態によれば、Ｒ／Ｗ装置３０が非接触通信によって携帯電話機１０Ａ、１０Ｂそれぞれから読み取った情報に基づいて、携帯電話機１０Ａ、１０Ｂについてペア認証が成功した場合にのみ、予め決められた所定の認証後動作として、ペア認証が成功した旨を表示するという新規な認証処理を行うことができる。
また、本実施形態によれば、２台の携帯電話機１０Ａ、１０Ｂからの認証用情報の読み取りが所定時間内に行われた場合に、上記認証後動作を実行することにより、後続の携帯電話機１０Ｂからの情報読み取りが行われずに認証処理及び認証後動作の実行を待っている不安定な状態が長く続くのを回避できる。
【００２３】
なお、上記実施形態では、２台の携帯電話機１０Ａ、１０Ｂについてペア認証に成功した場合に、認証後動作としてペア認証成功の表示を行っているが、本発明は、他の認証後動作を行う場合にも同様に適用できるものである。例えば、自宅などに置いている金庫に上記Ｒ／Ｗ装置を組み込み、複数の利用者の携帯電話機それぞれを金庫のＲ／Ｗ装置に順次かざし、そのすべての携帯電話機とＲ／Ｗ装置との間で非接触通信による認証に成功した場合にのみ、金庫の鍵を開く開錠動作を行うようにしてもよい。この場合のペアとなる携帯電話機の利用者としては、家族を構成する夫婦や親子などや、会社などの組織の複数の管理者等が挙げられる。
【００２４】
また、上記認証後動作としては、２台の携帯電話機１０Ａ、１０Ｂの利用者の双方に対する課金の合計を、いずれか一方の携帯電話機の利用者に課金する動作（例えば「奢りモード」の動作）であってもよい。例えば、利用者Ａ及び利用者が一緒に利用した飲食店での会計の際に、Ｒ／Ｗ装置を組み込んだレジ装置に２人の携帯電話機１０Ａ、１０Ｂそれぞれをかざして認証処理を行い、ペア認証が成功した場合に、２人の会計を利用者に課金するような課金動作を実行してもよい。
【００２５】
図５は、ペア認証に成功した複数の利用者の一方に課金処理する「奢りモード」の処理の一例を示すフローチャートである。ペア認証処理の部分（Ｓ２０１）は、前述の図４のステップＳ１０１〜Ｓ１１１と同様である。但し、図５のペア認証処理（Ｓ２０１）において、携帯電話機１０Ａからの情報読取に先だって、利用者Ａが携帯電話機１０Ａを操作し、利用者Ａ及びＢそれぞれが個別に利用した２人分の会計を利用者Ａのみが支払う旨を指定する。この操作後に、利用者Ａが携帯電話機１０Ａを持って上記Ｒ／Ｗ装置を組み込んだレジ装置にかざすと、利用者識別情報などの他の情報とともに、上記２人分の会計を利用者Ａのみが支払う旨を指定する識別子の情報が読み取られる。上記レジ装置は、携帯電話機１０Ａから読み取った情報に上記識別子があるか否かを判断する（Ｓ２０２）。ここで、携帯電話機１０Ａから読み取った情報に上記識別子がある場合（Ｓ２０２でＹｅｓ）には、利用者Ａによる奢りである判断し、携帯電話機１０Ａ（利用者Ａ）のみに、利用者Ａ及びＢの２人分の会計を課金する課金処理を行う（Ｓ２０３）。一方、携帯電話機１０Ａから読み取った情報に上記識別子がない場合（Ｓ２０２でＮｏ）には、携帯電話機１０Ａ，１０Ｂ（利用者Ａ，Ｂ）のそれぞれに課金する通常課金が行われ、予め設定されている他のペア認証後動作が実行される（Ｓ２０４）。
【００２６】
また、上記実施形態においては、携帯電話機１０を例に挙げて説明したが、本発明は、他の移動体通信端末等の通信端末装置についても同様に適用できるものである。また、本発明は、３台以上の携帯電話機等の通信端末装置について非接触通信による認証処理を行う場合にも同様に適用できるものである。
【符号の説明】
【００２７】
１０（１０Ａ，１０Ｂ）    携帯電話機
２０    管理サーバ
３０    Ｒ／Ｗ装置
３１    非接触通信モジュール
３２    表示部
３４    主制御部
３５    パーソナルコンピュータ
４０    携帯電話通信網
【図１】
0005539483.tif 000002
【図２】
0005539483.tif 000003
【図３】
0005539483.tif 000004
【図４】
0005539483.tif 000005
【図５】
0005539483.tif 000006